(57)【要約】【課題】  信号レベル制御装置で、ループゲインの一定化及び検波特性の一定化を実現する。【解決手段】  順方向処理部では、変調手段２１が処理対象となる信号と帰還処理部からの出力信号との合成結果信号を変調し、可変減衰手段２２が減衰させ、増幅手段２３、４１が増幅する。帰還処理部では、可変減衰手段３２が順方向処理部からの出力信号の一部を減衰させ、復調手段３３、２５が復調する。信号レベル検出処理部では、可変減衰手段２６が順方向処理部からの出力信号の一部を減衰させ、信号レベル検出手段２７がレベルを検出する。制御処理部では、制御手段２８が可変減衰手段２６の減衰量を制御し、制御手段１２が信号レベル検出処理部からの出力信号に基づいて可変減衰手段３２の減衰量及び可変減衰手段２２の減衰量を制御する。【選択図】  図１
2005244295.tif 000002
【特許請求の範囲】
【請求項１】
信号のレベルを制御する信号レベル制御装置において、
順方向処理部と、帰還処理部と、信号レベル検出処理部と、制御処理部を有しており、
順方向処理部は、処理対象となる信号と帰還処理部からの出力信号とが合成された結果の信号を変調する変調手段と、変調手段により得られた変調信号を可変な減衰量で減衰させる順方向可変減衰手段と、順方向可変減衰手段により減衰させられた信号を増幅する増幅手段と、を備え、増幅手段により増幅された信号を出力し、
帰還処理部は、順方向処理部からの出力信号の一部を可変な減衰量で減衰させる帰還可変減衰手段と、帰還可変減衰手段により減衰させられた信号を復調する復調手段と、を備え、復調手段により得られた復調信号を出力し、
信号レベル検出処理部は、順方向処理部からの出力信号の一部を可変な減衰量で減衰させる信号レベル検出可変減衰手段と、信号レベル検出可変減衰手段により減衰させられた信号のレベルを検出する信号レベル検出手段を備え、信号レベル検出手段による検出結果の信号を出力し、
制御処理部は、信号レベル検出処理部からの出力信号に基づいて帰還処理部の帰還可変減衰手段の減衰量及び順方向処理部の順方向可変減衰手段の減衰量を制御する帰還順方向可変減衰量制御手段を備えた、
ことを特徴とする信号レベル制御装置。
【請求項２】
請求項１に記載の信号レベル制御装置において、
制御処理部は、信号レベル検出処理部の信号レベル検出可変減衰手段の減衰量を制御する信号レベル検出可変減衰量制御手段を備え、
制御処理部の信号レベル検出可変減衰量制御手段による制御により、順方向処理部からの出力信号のレベルを調整し、
制御処理部の帰還順方向可変減衰量制御手段による制御により、順方向処理部及び帰還処理部から成るループの利得を一定化する、
ことを特徴とする信号レベル制御装置。
【発明の詳細な説明】
【技術分野】
【０００１】
本発明は、例えば、カーテシアン・リニアライザ回路においてＡＰＣ（Automatic Power Control）制御により送信信号のレベルを制御する信号レベル制御装置に関し、特に、ループゲインの一定化及び検波特性の一定化を実現した信号レベル制御装置に関する。
【背景技術】
【０００２】
例えば、カーテシアン・リニアライザ回路では、順方向のフォワード部と帰還方向のフィードバック部を用いて、ＡＰＣ制御により信号のレベルを制御すること及び回路で発生する歪の成分を低減することが行われている。
図２には、カーテシアン・リニアライザ回路の原理的な構成例を示してある。
図３には、カーテシアン・リニアライザ回路の具体的な構成例を示してある。
なお、図３では、本発明の実施例に係る図１に示されるのと概略的に同様な処理部については同一の符号を付してあるが、これによって本発明の実施例に係る図１を限定する意図は全く無い。
【０００３】
【特許文献１】特開２００２−３１９８７０号公報
【特許文献２】特開２００２−１７１１７８号公報
【特許文献３】特開２０００−１３２５４号公報
【発明の開示】
【発明が解決しようとする課題】
【０００４】
しかしながら、図３に示されるようなカーテシアン・リニアライザ回路における制御方式では、ＡＰＣ制御部１２によるＡＰＣ制御により帰還部２４のフィードバックゲインβだけが変動して、フォワードゲインＡは一定であるため、歪の改善量はループゲイン（Ａ・β）により決まることから、フィードバックゲインβの変動によりル一プの歪改善量が変動してしまう。これとともに、図３に示されるようなカーテシアン・リニアライザ回路における制御方式では、出力レベルの変更により検波部２７の検波特性が変化してしまうため、ＡＰＣ制御部１２によるＡＰＣ制御における変化量（例えば、検波電圧の変化の割合）が変動してしまう。このように、図３に示されるようなカーテシアン・リニアライザ回路における制御方式では、ループゲインの一定化及び検波特性の一定化の両方を確保して出力レベルを適切に制御することが困難であった。
本発明は、このような従来の課題を解決するために為されたもので、例えば、カーテシアン・リニアライザ回路においてＡＰＣ制御により送信信号のレベルを制御するに際して、ループゲインの一定化及び検波特性の一定化を実現することができる信号レベル制御装置を提供することを目的とする。
【課題を解決するための手段】
【０００５】
上記目的を達成するため、本発明に係る信号レベル制御装置では、順方向処理部と、帰還処理部と、信号レベル検出処理部と、制御処理部を有した構成において、次のようにして、信号のレベルを制御する。
すなわち、順方向処理部では、変調手段が処理対象となる信号と帰還処理部からの出力信号とが合成された結果の信号を変調し、順方向可変減衰手段が変調手段により得られた変調信号を可変な減衰量で減衰させ、増幅手段が順方向可変減衰手段により減衰させられた信号を増幅する。そして、順方向処理部では、増幅手段により増幅された信号を出力する。
また、帰還処理部では、帰還可変減衰手段が順方向処理部からの出力信号の一部を可変な減衰量で減衰させ、復調手段が帰還可変減衰手段により減衰させられた信号を復調する。そして、帰還処理部では、復調手段により得られた復調信号を出力する。
また、信号レベル検出処理部では、信号レベル検出可変減衰手段が順方向処理部からの出力信号の一部を可変な減衰量で減衰させ、信号レベル検出手段が信号レベル検出可変減衰手段により減衰させられた信号のレベルを検出する。そして、信号レベル検出処理部では、信号レベル検出手段による検出結果の信号を出力する。
また、制御処理部では、帰還順方向可変減衰量制御手段が、信号レベル検出処理部からの出力信号に基づいて、帰還処理部の帰還可変減衰手段の減衰量及び順方向処理部の順方向可変減衰手段の減衰量を制御する。
従って、順方向処理部と帰還処理部と信号レベル検出処理部のそれぞれに可変減衰手段を備えてあるため、それぞれの処理部における信号の減衰量を任意に変化させることが可能であり、これにより、例えば、順方向処理部からの出力信号のレベルを希望値に調整することができるとともに、これに際して、順方向処理部と帰還処理部から成るループの利得（ゲイン）を一定化することができる。例えば、カーテシアン・リニアライザ回路において、ＡＰＣ制御により送信信号のレベルを制御するに際して、ループゲインの一定化及び検波特性の一定化を実現することができる。
【０００６】
一構成例として、本発明に係る信号レベル制御装置では、次のような構成とした。
すなわち、制御処理部では、信号レベル検出可変減衰量制御手段が信号レベル検出処理部の信号レベル検出可変減衰手段の減衰量を制御する。
そして、制御処理部の信号レベル検出可変減衰量制御手段による制御により、順方向処理部からの出力信号のレベルを調整し、また、制御処理部の帰還順方向可変減衰量制御手段による制御により、順方向処理部及び帰還処理部から成るループの利得（ゲイン）を一定化する。
従って、例えば、信号レベル検出処理部における検波特性の一定化を保ったまま、順方向処理部からの出力信号のレベルを調整することができ、これとともに、順方向処理部の利得と帰還処理部の利得との調整を行って、ループの利得を一定化することができる。
【０００７】
ここで、処理対象となる信号としては、種々な信号が用いられてもよく、例えば、Ｉ成分及びＱ成分から成る送信信号が用いられる。
また、信号のレベルとしては、種々なレベルが用いられてもよく、例えば、電力のレベルや、振幅のレベルなどを用いることができる。
また、処理対象となる信号と帰還処理部からの出力信号とが合成された結果の信号としては、例えば、処理対象となる信号から帰還処理部からの出力信号が減算されるように合成された信号が用いられる。
また、変調の方式や、復調の方式としては、種々な方式が用いられてもよく、例えば、１６ＱＡＭやπ／４シフトＱＰＳＫなどのデジタル変調方式及びその復調方式が用いられる。
また、順方向可変減衰手段や、帰還可変減衰手段や、信号レベル検出可変減衰手段としては、それぞれ、例えば、可変減衰器を用いて構成することができる。
また、増幅手段としては、種々な構成が用いられてもよく、例えば、１又は複数の増幅器を用いて構成することができる。
また、帰還処理部で使用される順方向処理部からの出力信号の一部と、信号レベル検出処理部で使用される順方向処理部からの出力信号の一部としては、例えば、順方向処理部の出力側からまとめて抽出されてから帰還処理部と信号レベル検出処理部に分配されてもよく、或いは、順方向処理部の出力側からそれぞれ個別に抽出されてもよい。
また、順方向処理部や、帰還処理部や、信号レベル検出処理部や、制御処理部としては、それぞれ、種々な構成が用いられてもよい。
また、順方向処理部や、帰還処理部や、信号レベル検出処理部や、制御処理部のそれぞれとしては、必ずしも構成要素（構成する手段）が一体化された構成とされなくともよく、例えば、１以上の構成要素（構成する手段）が離隔した位置に配置されたような構成が用いられてもよい。
【発明の効果】
【０００８】
以上説明したように、本発明に係る信号レベル制御装置によると、順方向処理部では、処理対象となる信号と帰還処理部からの出力信号とが合成された結果の信号を変調し、当該変調信号を可変な減衰量で減衰させ、当該減衰させられた信号を増幅して出力し、帰還処理部では、順方向処理部からの出力信号の一部を可変な減衰量で減衰させ、当該減衰させられた信号を復調して出力し、信号レベル検出処理部では、順方向処理部からの出力信号の一部を可変な減衰量で減衰させ、当該減衰させられた信号のレベルを検出して当該検出結果の信号を出力し、制御処理部では、信号レベル検出処理部からの出力信号に基づいて帰還処理部における減衰量及び順方向処理部における減衰量を制御するようにしたため、例えば、カーテシアン・リニアライザ回路において、ＡＰＣ制御により送信信号のレベルを制御するに際して、ループゲインの一定化及び検波特性の一定化を実現することができる。
【発明を実施するための最良の形態】
【０００９】
本発明に係る一実施例を図面を参照して説明する。
本例では、デジタル通信を採用した移動体通信システムの無線基地局装置を構成する送信機に備えられるカーテシアン・リニアライザ回路に本発明を適用した場合を示す。本例のカーテシアン・リニアライザ回路では、フォワード部とフィードバック部から成るループを用いて、負帰還方式により、送信対象となる信号（送信信号）のレベルを制御するとともに、電力増幅器で発生する非線形歪などの歪成分を補償する。また、本例のカーテシアン・リニアライザ回路の出力側にはアンテナが接続され、本例のカーテシアン・リニアライザ回路によりレベル制御された送信信号が当該アンテナから移動局装置などに対して無線により送信される。また、本例のカーテシアン・リニアライザ回路では、変調方式としては、例えば、１６ＱＡＭやπ／４シフトＱＰＳＫなどの方式が用いられる。
【００１０】
図１には、本例のカーテシアン・リニアライザ回路の構成例を示してある。
本例のカーテシアン・リニアライザ回路は、リニアライザの位相やゲインを制御することなどを行う制御部１と、順方向においてベースバンド信号を所定の周波数の変調信号へ変調することや帰還方向において復調することなどを行う送信部２と、変調信号を所定のレベルの信号へ増幅することなどを行う電力増幅部（ＰＡ部）３から構成されている。
制御部１には、変調信号発生部１１と、ＡＰＣ制御部１２が備えられている。
送信部２には、変調器２１と、順方向の可変減衰器（可変ＡＴＴ）である順方向可変ＡＴＴ２２と、プリアンプ部２３と、帰還部２４と、復調器２５と、検波部入力レベルの可変減衰器（可変ＡＴＴ）である検波部入力可変ＡＴＴ２６と、検波部２７と、調整ボリューム部２８が備えられている。
帰還部２４には、分配器３１と、帰還方向の可変減衰器（可変ＡＴＴ）である帰還可変ＡＴＴ３２と、帰還ＩＦ（Intermediate Frequency）部３３が備えられている。ここで、帰還部２４は、リニアライザ回路の帰還側の回路を構成している。
電力増幅部３には、電力増幅器（ＰＡ：Power Amplifier）４１と、方向性結合器４２が備えられている。
【００１１】
本例のカーテシアン・リニアライザ回路により行われる概略的な動作の一例を示す。
変調信号発生部１１は、送信対象となる信号（送信信号）として、Ｉ成分及びＱ成分から成るベースバンド信号を生成して、変調器２１へ出力する。当該出力信号は、復調器２５からのフィードバック信号と合成されて、変調器２１に入力される。
変調器２１は、入力されるＩ成分及びＱ成分の信号を合成して変調信号（変調波）として、順方向可変ＡＴＴ２２へ出力する。
順方向可変ＡＴＴ２２は、ＡＰＣ制御部１２により制御される減衰量で、変調器２１から入力される変調信号のレベルを減衰させて、当該減衰後の変調信号をプリアンプ部２３へ出力する。
プリアンプ部２３は、順方向可変ＡＴＴ２２から入力される変調信号を増幅して、電力増幅器４１へ出力する。ここで、プリアンプ部２３は、変調信号を電力増幅器４１により所定の電力レベルの信号へ増幅するために、送信部２のユニットで予め当該変調信号のレベルをある程度にまで増幅しておく増幅器である。
電力増幅器４１は、メイン（主）の増幅器であり、プリアンプ部２３から入力される変調信号を所定の電力レベルの信号へ増幅して出力する。ここで、電力増幅器４１から出力される増幅信号は、本例では、アンテナ（図示せず）を介して無線送信される。
【００１２】
方向性結合器４２は、電力増幅器４１から出力される増幅信号の一部を取り出して、分配器３１へ出力する。
分配器３１は、方向性結合器４２から入力される信号（帰還信号）を２つに分配して、一方の分配信号を帰還可変ＡＴＴ３２へ出力し、他方の分配信号を検波部入力可変ＡＴＴ２６へ出力する。
帰還可変ＡＴＴ３２は、ＡＰＣ制御部１２により制御される減衰量で、分配器３１から入力される信号のレベルを減衰させて、当該減衰後の信号を帰還ＩＦ部３３へ出力する。
帰還ＩＦ部３３は、帰還可変ＡＴＴ３２から入力される信号の周波数を送信周波数から中間周波数（ＩＦ）へ変換することや、復調器２５への入力レベルを調整することを行い、当該周波数変換及び当該レベル調整が為された信号を復調器２５へ出力する。
復調器２５は、帰還ＩＦ部３３から入力される信号（変調された状態の信号）をＩ成分及びＱ成分から成るベースバンド信号へ復調して、変調器２１の入力側へ出力する。
本例では、変調信号発生部１１から出力されるＩ成分の信号と復調器２５から出力されるＩ成分の信号が合成されて変調器２１に入力されるとともに、変調信号発生部１１から出力されるＱ成分の信号と復調器２５から出力されるＱ成分の信号が合成されて変調器２１に入力される。また、このような合成としては、本例では、変調信号発生部１１からの出力信号から復調器２５からの出力信号が減算されるような位相関係で行われる。
【００１３】
検波部入力可変ＡＴＴ２６は、調整ボリューム部２８により制御される減衰量で、分配器３１から入力される信号のレベルを減衰させて、当該減衰後の信号を検波部２７へ出力する。
検波部２７は、検波部入力可変ＡＴＴ２６から入力される信号を検波することで、電力増幅器４１からの出力レベルを検出して、当該検出結果である検波電圧をＡＰＣ制御部１２へ出力する。
調整ボリューム部２８は、検波部入力可変ＡＴＴ２６の減衰量を制御する機能を有しており、これにより、検波部２７への入力レベルを調整して、電力増幅器４１からの出力レベルを調整することが可能である。一例として、調整ボリューム部２８は、人（ユーザ）により操作することが可能な形態で構成され、ユーザによる操作に応じて、検波部入力可変ＡＴＴ２６の減衰量を変化させる。他の一例として、調整ボリューム部２８は、リニアライザ回路の内部或いは外部の装置から制御することが可能に構成され、当該制御に応じて、検波部入力可変ＡＴＴ２６の減衰量を変化させる。
ＡＰＣ制御部１２は、検波部２７から入力される検波電圧を取り込んで、当該検波電圧に基づいて、帰還可変ＡＴＴ２６の減衰量を制御するための制御信号及び順方向可変ＡＴＴ２２の減衰量を制御するための制御信号を出力する。
本例では、ＡＰＣ制御部１２は、検波部２７による検波電圧を時間的に平均化して、当該平均化した値に基づいて、帰還可変ＡＴＴ３２の減衰量を調整することで帰還方向のフィードバックゲインの値を調整し、そして、順方向可変ＡＴＴ２２の減衰量を調整することで順方向のフォワードゲインの値を調整して、ループゲインを一定にする。
【００１４】
このように、本例のカーテシアン・リニアライザ回路では、出力レベルを変化させる場合に、例えば検波部の基準電圧を可変させるのではなく、検波部入力可変ＡＴＴ２６の減衰量を調整ボリューム部２８により調整して、検波部２７への入力電力を調整する。
また、本例のカーテシアン・リニアライザ回路では、検波部２７による検波電圧に基づいてＡＰＣ制御を行うに際して、ＡＰＣ制御部１２からの制御信号により帰還可変ＡＴＴ３２の減衰量が制御されるとともに、ＡＰＣ制御部１２からの制御信号により順方向可変ＡＴＴ２２の減衰量が制御される。本制御は、フォワードゲインの値Ａ及びフィードバックゲインの値βから成るループゲイン（Ａ・β）の値を一定とするように行われ、例えば、帰還可変ＡＴＴ３２の減衰量が１ｄＢ増加する場合には順方向可変ＡＴＴ２２の減衰量を１ｄＢ減少させるような制御を実行する。
【００１５】
次に、本例のカーテシアン・リニアライザ回路により行われる処理の具体例を示す。
例えば、検波部入力可変ＡＴＴ２６の減衰量がある規定値になるように調整ボリューム部２８を設定した状態において、電力増幅部３からの出力レベルが４０ｄＢｍであり、帰還電力のレベルが１０ｄＢｍであるときについて検討する。また、検波部２７により検出した検波電圧を基準としたＡＰＣ制御を考え、このときにおけるループゲイン（Ａ・β）が３０ｄＢであるとする。
本例のＡＰＣ制御では、検波部２７による検波電圧が基準電圧と一致するようにＡＰＣ制御部１２により帰還可変ＡＴＴ３２が制御され、これに伴って、ループゲインが一定となるようにＡＰＣ制御部１２により順方向可変ＡＴＴ２２が制御される。
【００１６】
一例として、電力増幅部３からの出力を１ｄＢ上昇させるために調整ボリューム部２８によって検波部入力可変ＡＴＴ２６の減衰量を１ｄＢ上昇させると、検波部２７への入力電力は１ｄＢ減少し、検波部２７による検波電圧も減少する。すると、当該検波電圧を１ｄＢ分戻すようにＡＰＣ制御部１２により帰還可変ＡＴＴ３２へ制御が行われて、帰還部２４の利得（フィードバックゲイン）が１ｄＢ上がる。これと同時に、ループゲインを一定に保つために、ＡＰＣ制御部１２により順方向可変ＡＴＴ２２へ制御が行われて、順方向の利得（フォワードゲイン）が１ｄＢ下がる。この結果として、電力増幅部３からの出力は１ｄＢ上昇して、４１ｄＢｍとなる。帰還電力のレベルも１ｄＢ上がって１１ｄＢｍとなる。ここで、検波部入力可変ＡＴＴ２６の減衰量を１ｄＢ上昇していることから、検波部２７への入力電力は変更前と同じレベルに収束し、検波部２７による検波電圧は変更前と同じ電圧に収束する。また、順方向利得（フォワードゲイン）が−１ｄＢ変化するとともに帰還利得（フィードバックゲイン）が＋１ｄＢ変化しているため、ループゲインは変化なく３０ｄＢのままとなり、このため、ループの歪み改善量は変化せずに安定である。
【００１７】
以上のように、本例のカーテシアン・リニアライザ回路では、帰還電力の一部を分配して検波し、帰還可変ＡＴＴ３２により帰還部利得を制御する方式のＡＰＣ制御回路の構成において、順方向部に順方向可変ＡＴＴ２２を備えるとともに、検波入力部に検波入力可変ＡＴＴ２６を備え、検波入力可変ＡＴＴ２６により検波部入力電力を制御し、帰還可変ＡＴＴ３２により帰還部利得を制御し、順方向可変ＡＴＴ２２により順方向利得を制御する。
具体的には、本例のカーテシアン・リニアライザ回路を備えたＡＰＣ制御システムでは、例えば、検波部２７への検波入力部と順方向部に可変ＡＴＴ２２、２６を備えて、検波部入力電力と順方向利得を制御し、また、この制御を行うに際して、帰還可変ＡＴＴ３２と順方向可変ＡＴＴ２２によるバランス制御を行って、これらにより、ループゲインと検波特性を一定に保つように制御する。この場合、検波部２７への帰還信号のレベルを可変する検波部入力可変ＡＴＴ２６に対して調整ボリューム部２８による調整が行われ、任意に定めた基準電圧が検波部２７へ入力されるようにする。また、帰還信号のレベルを可変する帰還可変ＡＴＴ３２と順方向信号のレベルを可変する順方向可変ＡＴＴ２２により、ループゲイン（Ａ・β）を制御する。
従って、本例のカーテシアン・リニアライザ回路では、ループゲインと検波特性を一定に保ったＡＰＣ制御を実現することができる。
【００１８】
なお、本例では、カーテシアン・リニアライザ回路に本発明に係る信号レベル制御装置を適用した場合を示した。
また、本例のカーテシアン・リニアライザ回路では、変調手段を構成する変調器２１の機能や、順方向可変減衰手段を構成する順方向可変ＡＴＴ２２の機能や、増幅手段を構成するプリアンプ部２３や電力増幅器４１の機能により、順方向処理部が構成されている。
また、本例のカーテシアン・リニアライザ回路では、順方向処理部からの出力信号の一部を取り出す方向性結合器４２の機能や、当該取り出された信号を分配する分配器３１の機能や、帰還可変減衰手段を構成する帰還可変ＡＴＴ３２の機能や、復調手段を構成する帰還ＩＦ部３３や復調器２５の機能により、帰還処理部が構成されている。
また、本例のカーテシアン・リニアライザ回路では、信号レベル検出可変減衰手段を構成する検波部入力可変ＡＴＴ２６の機能や、信号レベル検出手段を構成する検波部２７の機能により、信号レベル検出処理部が構成されている。
また、本例のカーテシアン・リニアライザ回路では、帰還順方向可変減衰量制御手段を構成するＡＰＣ制御部１２の機能や、信号レベル検出可変減衰量制御手段を構成する調整ボリューム部２８の機能により、制御処理部が構成されている。
また、本例のカーテシアン・リニアライザ回路では、処理対象となる信号を生成して出力する変調信号発生部１１が備えられている。
なお、順方向処理部や、帰還処理部や、信号レベル検出処理部や、制御処理部としては、必ずしも対象となる装置の機能手段がこれらの各処理部に明確に分けられるものでなくともよく、例えば、対象となる装置の機能手段が実質的にこれら各処理部と同様な機能を有すれば、これら各処理部の実施に該当する。
【００１９】
以下で、本発明に関する技術の背景を示す。なお、ここで記載する事項は、必ずしも全てが従来の技術であるとは限定しない。
図２には、カーテシアン・リニアライザ回路の原理的な構成例を示してある。
図２の例では、入力端５１と出力端５２との間に、第１の加算器（機能としては、減算器）６１と、順方向のゲイン（利得）であるフォワードゲイン６２と、回路で発生する歪成分（のモデル）が入力されるとする歪成分入力端５３が接続される第２の加算器６３が直列に接続されている。また、第２の加算器６３の出力端には、帰還方向のゲインであるフィードバックゲイン６４が接続されており、フィードバックゲイン６４からの出力が第１の加算器６１に入力される。
【００２０】
ここで、入力端５１に入力される入力信号をｘ（ｔ）とし、歪成分入力端５３に入力される歪成分をＤ（ｔ）とし、出力端５２から出力される出力信号をｙ（ｔ）とし、フォワード部のフォワードゲイン６２の値をＡとし、フィードバック部のフィードバックゲイン６４の値をβとすると、式１が成り立つ。なお、ｔは時刻を表す。また、フォワード部とフィードバック部から成るループのゲインは、（Ａ・β）となる。
また、式１を近似すると、式２のように表される。
また、更に、（A・β）＞＞1の条件においては、式２は式３のように表される。
式２に示されるように、歪成分Ｄ（ｔ）は、ループゲイン（Ａ・β）により低減される。
また、式３に示されるように、送信出力のレベルは、フィードバックゲイン６４の値βのみにより決定される。
【００２１】
【数１】
2005244295.tif 000003
【００２２】
【数２】
2005244295.tif 000004
【００２３】
【数３】
2005244295.tif 000005
【００２４】
図３には、カーテシアン・リニアライザ回路の具体的な構成例を示してある。
なお、図３では、本発明の実施例に係る図１に示されるのと概略的に同様な処理部については同一の符号を付してあるが、これによって本発明の実施例に係る図１を限定する意図は全く無い。
図３に示されるカーテシアン・リニアライザ回路により行われる動作の概要を説明する。
上述のように、送信出力のレベルは、フィードバックゲインの値βのみにより決定される。そこで、送信出力を常に規定レベルに調整するために、電力増幅部（ＰＡ部）３からの帰還信号を分配器３１により分配し、検波部２７により出力レベルを検出して、当該検出結果（検波電圧）を制御部１のＡＰＣ制御部１２へ与える。
ここで、例えば、デジタル変調方式を使用する無線機では、出力レベルが常に変動していることから、送信出力の平均電力を検出するために、ＡＰＣ制御部１２において取り込まれた検波電圧を平均化する。そして、当該平均値に基づく制御電圧で帰還部２４の可変減衰器（可変ＡＴＴ）３２を制御して、帰還部２４のフィードバックゲインβを変化させ、これにより、リニアライザ回路からの出力が常に規定レベルで一定となるような制御を行う。
図３に示される回路では、出力レベルの変更は、調整ボリューム部２８により検波部２７の検出出力電圧を変化させて、検波特性（検波部２７への入力電力に対する検波出力値）を変化させることにより行われる。
【００２５】
ここで、本発明に係る信号レベル制御装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る信号レベル制御装置などにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００２６】
【図１】本発明の一実施例に係るリニアライザ回路の構成例を示す図である。
【図２】リニアライザ回路の原理的な構成例を示す図である。
【図３】リニアライザ回路の構成例を示す図である。
【符号の説明】
【００２７】
１・・制御部、  ２・・送信部、  ３・・電力増幅部（ＰＡ部）、  １１・・変調信号発生部、  １２・・ＡＰＣ制御部、  ２１・・変調器、  ２２、２６、３２・・可変減衰器（可変ＡＴＴ）、  ２３・・プリアンプ部、  ２４・・帰還部、  ２５・・復調器、  ２７・・検波部、  ２８・・調整ボリューム部、  ３１・・分配器、  ３３・・帰還ＩＦ部、  ４１・・電力増幅器、  ４２・・方向性結合器、  ５１・・入力端、  ５２・・出力端、  ５３・・歪成分入力端、  ６１、６３・・加算器、  ６２・・フォワードゲイン、  ６４・・フィードバックゲイン、
【図１】
2005244295.tif 000006
【図２】
2005244295.tif 000007
【図３】
2005244295.tif 000008